(57)【要約】【課題】  二次電池を充電状態にして販売する二次電池販売台を提供する。【解決手段】  二次電池を包装した二次電池包装体４に充電パック（非接触受電手段）４６を設け、これを陳列容器１１６に非接触送電手段１１７を設けた二次電池販売台１０２に収容して販売する。充電パック４６は太陽電池、電磁誘導等による非接触受電手段に対応する光源、磁界発生装置等により構成した非接触送電手段１１７からの送電により充電電力を生成して二次電池を充電する。【選択図】  図４
2007294276.tif 000002
【特許請求の範囲】
【請求項１】
二次電池を被覆包装した二次電池包装体に、前記二次電池に接続して外部接続端子を設け、複数の二次電池包装体を収容する陳列容器に、前記外部接続端子に接触接続して充電電源から供給される充電電力を給電する充電電力給電手段を設けてなることを特徴とする二次電池販売台。
【請求項２】
充電電源は、ＡＣ電力から充電電力を生成する請求項１に記載の二次電池販売台。
【請求項３】
充電電源は、照明光を受光して充電電力を発生させる太陽電池である請求項１に記載の二次電池販売台。
【請求項４】
外部接続端子及び充電電力給電手段は、互いに接触接続する接触部位を除いて絶縁体で被覆した短絡防止構造に形成されてなる請求項１〜３いずれか一項に記載の二次電池販売台。
【請求項５】
二次電池を被覆包装した二次電池包装体に、二次電池に対する充電電力を非接触で受電する非接触受電手段を設け、複数の二次電池包装体を収容する陳列容器に、前記非接触受電手段に向けて非接触で充電電力を送電する非接触送電手段を設けてなることを特徴とする二次電池販売台。
【請求項６】
非接触受電手段は太陽電池であり、非接触送電手段は光源である請求項５に記載の二次電池販売台。
【請求項７】
非接触受電手段は電磁波を受信して充電電力に生成する電磁波受信装置であり、非接触送電手段は電磁波を出力する電磁波送信装置である請求項５に記載の二次電池販売台。
【請求項８】
非接触受電手段は電磁誘導による起電力を充電電力に生成する電磁誘導二次装置であり、非接触送電手段は電磁誘導磁界を発生させる電磁誘導一次装置である請求項５に記載の二次電池販売台。
【請求項９】
非接触送電手段の動作電源は、ＡＣ電源である請求項５〜８いずれか一項に記載の二次電池販売台。
【請求項１０】
非接触送電手段の動作電源は、太陽電池である請求項５〜８いずれか一項に記載の二次電池販売台。
【請求項１１】
非接触受電手段は、二次電池包装体に着脱可能に連結されてなる請求項５〜１０いずれか一項に記載の二次電池販売台。
【発明の詳細な説明】
【技術分野】
【０００１】
本発明は、二次電池を充電状態にして販売することを可能にする二次電池販売台に関するものである。
【背景技術】
【０００２】
二次電池の中でもニッケル水素蓄電池やニッケルカドミウム蓄電池は自己放電率が大きく、保管期間や販売期間が長くなると放電可能容量の低下が避けられない。また、リチウム二次電池は自己放電率は小さいものの、満充電状態での保管は電池の劣化をまねきやすいので、５０％以下の充電量にして販売される。
【０００３】
従って、ユーザは二次電池を購入すると、まず充電を行った後に所要の機器に装填する手間を要することになり、乾電池のように購入した電池を即座に機器に装填して使用できる状態とはならない課題があった。ニッケル水素蓄電池のように出力電圧が乾電池の出力電圧と近く、寸法形状が乾電池と同等のものでは、乾電池との互換性を得ることができ、乾電池のように使い捨てでなく、繰り返し使用できる経済性を得ることが可能となる。そのためには、ユーザは購入後に充電を行うことなく即座に使用できるような放電可能容量が充分にある状態で販売することが要求される。
【０００４】
ニッケル水素蓄電池においては、満充電まで充電して出荷されたときから１年経過後でも８０％前後の放電可能容量に維持できるものが開発されているが、同一サイズでの容量が少なくなる課題があり、出荷時から実使用時までの経過時間を管理する手間を要する。
【０００５】
ユーザが必要とするときに充分な放電可能容量がある二次電池を購入することが理想であるが、現実には前述のような理由から即座に使用できる二次電池を確実にユーザに届けることは困難な状態にある。
【０００６】
充電されて放電可能容量が充分にある二次電池をユーザが購入できるようにするには、販売拠点において充電して販売することが考えられるが、包装体を破壊することなく二次電池に充電するには、非接触で充電電力を二次電池に供給する構成が必要となる。電気髭剃り器や電動歯ブラシなどのように機器に組み込まれた二次電池に対し、電磁誘導により非接触で充電電力を供給する電磁誘導充電方式は広く知られている（特許文献１参照）。この場合では機器及び充電器に電磁誘導による電力伝送の構成が設けられている。
【０００７】
二次電池そのものに充電するには、二次電池の正極及び負極に充電回路を電気的接続する必要があり、二次電池の外周に電磁誘導二次コイルを巻き付けると共に、電磁誘導二次コイルに誘起した起電力を二次電池の充電電力として供給する充電回路を設けた特殊な二次電池として構成されたものが知られている（特許文献２及び特許文献３参照）。この電磁結合による充電構造を備えた二次電池は、電磁誘導一次コイルを備えた専用の充電器に投入することにより電磁誘導により誘起した起電力によって二次電池を充電することができる。
【特許文献１】特開平１１−０６９６３９号公報
【特許文献２】特開２００５−１２４３２４号公報
【特許文献３】特開２００５−１１７７４８号公報
【発明の開示】
【発明が解決しようとする課題】
【０００８】
従来技術として示した電気髭剃り器などのように機器に組み込まれた二次電池を充電器と電磁結合することによって充電する構成は、二次電池を電源とする携帯電子機器の種類や数が増加するのに伴って携帯電話機やモバイルコンピュータなどにも適用範囲が増加するものと考えられる。しかし、本発明が目的とする二次電池そのものを購入後直ぐに使用できる状態に充電して販売するものではない。
【０００９】
また、従来技術として示した二次電池そのものに充電機能を設けた構成は、二次電池が規格に沿ったものでなく、特殊なものとなるため汎用性がなく、充電機能を設けているために二次電池としての体積減少は避けられず、体積エネルギー密度の小さい二次電池となってしまう問題がある。この特殊な二次電池の場合も、二次電池を購入後直ぐに使用できる状態に充電された状態で販売できるようにする本発明の目的を叶えるものではない。
【００１０】
本発明が目的とするところは、一般市販する汎用性のある二次電池を購入後に直ちに機器に装填して使用できるように充電済みにして販売することを可能にする二次電池販売台を提供することにある。
【課題を解決するための手段】
【００１１】
上記目的を達成するための本願第１発明に係る二次電池販売台は、二次電池を被覆包装した二次電池包装体に、前記二次電池に接続して外部接続端子を設け、複数の二次電池包装体を収容する陳列容器に、前記外部接続端子に接触接続して充電電源から供給される充電電力を給電する充電電力給電手段を設けてなることを特徴とする。
【００１２】
上記構成によれば、二次電池包装体を陳列容器に収容すると、外部接続端子が充電電力給電手段に接触接続し、充電電源から供給される充電電力により二次電池を充電することができる。
【００１３】
上記構成において、充電電源はＡＣ電力から充電電力を生成するように構成することにより安定した充電電力供給が可能である。また、充電電源は照明光を受光して充電電力を発生させる太陽電池として構成することにより、照明光さえあればＡＣ電力接続が不可能な販売場所であっても充電が可能となる。
【００１４】
また、外部接続端子及び充電電力給電手段は、互いに接触接続する接触部位を除いて絶縁体で被覆した短絡防止構造に形成することが望ましく、何らかの金属物が接触することによる短絡により二次電池や充電電源に損傷が生じることを防止することができる。
【００１５】
また、本願第２発明に係る二次電池販売台は、二次電池を被覆包装した二次電池包装体に、二次電池に対する充電電力を非接触で受電する非接触受電手段を設け、複数の二次電池包装体を収容する陳列容器に、前記非接触受電手段に向けて非接触で充電電力を送電する非接触送電手段を設けてなることを特徴とする。
【００１６】
上記構成によれば、二次電池包装体に対して非接触で充電電力を供給することができるので、陳列容器に二次電池包装体を収容するだけで充電電力が生成され、生成された充電電力により二次電池を充電することができる。
【００１７】
上記構成において、非接触受電手段は太陽電池であり、非接触送電手段は光源とすることにより、光照射により二次電池を充電することができる。光源は充電専用のものであっても店舗照明光であってもよい。
【００１８】
また、非接触受電手段は電磁波を受信して充電電力に生成する電磁波受信装置であり、非接触送電手段は電磁波を出力する電磁波送信装置として構成することにより、電磁波を受信したアンテナに誘起する起電力を充電電力に生成して二次電池を充電することができる。
【００１９】
また、非接触受電手段は電磁誘導による起電力を充電電力に生成する電磁誘導二次装置であり、非接触送電手段は電磁誘導磁界を発生させる電磁誘導一次装置として構成することにより、電磁誘導一次装置に電磁結合する電磁誘導二次装置に誘起する起電力を充電電力に生成して二次電池を充電することができる。
【００２０】
また、非接触送電手段の動作電源は、ＡＣ電源により動作するように構成することによって安定した充電電力供給が可能である。また、非接触送電手段の動作電源は太陽電池として構成することにより、照明光さえあればＡＣ電力接続が不可能な販売場所であっても充電電力の送電が可能となる。
【００２１】
また、非接触受電手段は、二次電池包装体に着脱可能に連結することが好適で、ユーザの購入時に非接触受電手段を取り外して再利用するようにすると、二次電池包装体に非接触受電手段を設けることによるコストアップを抑えることができる。
【発明の効果】
【００２２】
本発明によれば、自己放電率の大きい二次電池であっても充電した状態で販売できるので、二次電池を購入したユーザは充電作業を行うことなく直ちに機器に装填して使用できる。また、ニッケル水素蓄電池のように乾電池に置き換えることが可能な二次電池においては、充電状態で入手できれば乾電池と同等の使用ができ、しかも繰り返し使用できる経済性をも得ることができる。
【発明を実施するための最良の形態】
【００２３】
本実施形態は、二次電池の一例であるニッケル水素蓄電池を販売するための二次電池販売台について説明するが、規格、包装形態などが異なる他の二次電池についても同様に構成できることは言うまでもない。
【００２４】
ニッケル水素蓄電池は、ニッケルカドミウム蓄電池に比してエネルギー密度が高く、ＥＵ（欧州連合）における化学物質規制（ＲｏＨＳ指令など）の対象となる材料を使用していないので適用範囲が広く、リチウム二次電池のように過充電や過放電を防止するための保護回路を設ける必要がないので汎用二次電池として好適なものである。また、出力電圧（公称電圧）が１.２Ｖで乾電池の出力電圧に近く、寸法形状が乾電池と同等に構成されているので、乾電池との互換性を得ることができ、充電により繰り返し使用できる経済性も備えている。このような乾電池的な使途を得るためにも、ニッケル水素蓄電池の特性である自己放電率が大きい課題を解決することが要求される。即ち、購入して充電することなく、直ぐに機器に装填して使用できるようにすることが望まれている。
【００２５】
本実施形態では、ユーザはニッケル水素蓄電池を購入したとき、従来のように充電した後に機器に装填する手間をかけるのではなく、購入時点で充分な放電可能容量がある充電状態にして販売できるようにする二次電池販売台を構成する。
【００２６】
図１（ａ）は、ニッケル水素蓄電池を陳列販売する第１の実施形態に係る二次電池販売台１０１の構成を示すものである。複数の二次電池包装体７０を収容する陳列容器１１５の背面には、ＡＣ電力を所定直流電圧の充電電力に変換する充電電源１１０が設けられている。この充電電源１１０で生成された充電電力は、図１（ｂ）に示すように、陳列容器１１５の底部に懸架された正極給電線１１１と負極給電線１１２（充電電力給電手段）との間に印加される。
【００２７】
上記構成になる二次電池販売台１０１に収容される二次電池包装体７０は、図２に示すように、４本のＡＡサイズニッケル水素蓄電池５をブリスターパックの形態に被覆包装し、その台紙７８の端部にニッケル水素蓄電池５の正極及び負極にそれぞれ接続した正極接続端子７１及び負極接続端子７２を引き出して構成されている。台紙７８上に形成された正極接続端子７１及び負極接続端子７２の表面は、ニッケル水素蓄電池５を被覆する透明カップ７９の台紙７８への貼着面７９ａにより被覆され、何らかの金属物が接触することによるニッケル水素蓄電池５の短絡を防止している。
【００２８】
正極接続端子７１及び負極接続端子７２が引き出されている台紙７８の端部は、図３に拡大図示するように台形状に切欠き７４を設け、この切欠き７４の傾斜辺となる一方辺に正極接続端子７１及び負極接続端子７２が外部露出している。この正極接続端子７１及び負極接続端子７２に対応する前記正極給電線１１１及び負極給電線１１２は、図３に示すように、金属線路１１１ａ，１１２ａの正極接続端子７１及び負極接続端子７２の外部露出面に対応する部位を露出させて絶縁体１１１ｂ、１１２ｂで被覆している。この正極給電線１１１及び負極給電線１１２の構造により、容器１１５内に何らかの金属物が落下したような場合に正極給電線１１１と負極給電線１１２との間が短絡されてしまうことを防止することができる。
【００２９】
陳列容器１１５内に二次電池包装体７０を収容すると、一対の切欠き７４、７４に正極給電線１１１及び負極給電線１１２がそれぞれ入り込み、それぞれの金属線路１１１ａ，１１２ａに正極接続端子７１及び負極接続端子７２の外部露出部分が接触する。充電電源１１０から正極給電線１１１と負極給電線１１２との間に充電電力を給電すると、陳列容器１１５内に収容された二次電池包装体７０には正極接続端子７１及び負極接続端子７２を通じて充電電力が供給されてニッケル水素蓄電池５は充電される。ニッケル水素蓄電池５に対する充電は自己放電を補う程度でよいので、微小な充電電流が流れる程度の充電電圧、例えば１.３〜１.５Ｖ／セルが印加されるようにする。充電により電圧上昇したニッケル水素蓄電池５の正極、負極間の電圧が充電電圧と同一になったとき充電は停止される。
【００３０】
上記構成において、充電電源１１０は太陽電池に置き換えることができる。ニッケル水素蓄電池５に対する充電は、自己放電を補う程度の小さい充電電流の印加でよいので、複数の二次電池包装体７０を陳列容器１１５に収容しても総充電電流は太陽電池でまかなうことが可能で、販売拠点における陳列場所によってＡＣ電力への接続が困難な場合でも、照明光さえあれば充電電力の給電を行うことができる。
【００３１】
また、上記構成における二次電池包装体７０は、４本のニッケル水素蓄電池５を並列接続しているが、直列接続することもでき、充電電力の電圧及び電流容量に応じて任意に設定することができる。
【００３２】
図４は、第２の実施形態に係る二次電池販売台１０２の構成を示すもので、陳列容器１１６内に収容する二次電池包装体４に対して非接触で充電電力を供給できるように構成されている。二次電池包装体４は、図５（ａ）に示すように、ブリスターパックを構成する透明カップ１４内にニッケル水素蓄電池５と共に充電パック（非接触受電手段）４６を収容している。
【００３３】
充電パック４６は、図６に示す太陽電池３１を用いた構成、あるいは図７に示す電磁波を受信したアンテナコイル３９に誘起する起電力を用いた構成、あるいは図８に示す電磁誘導により電磁誘導二次コイル７に誘起する起電力を用いた構成を適用することができる。
【００３４】
充電パック４６を太陽電池３１を用いて構成する場合には、二次電池販売台１０２の容器１１６の底部に配設する非接触電力送電手段１１７は、蛍光管、ＬＥＤ、ＥＬ等による光源１１９とし、容器１１６の背面に設けた電源装置１１８により点灯させる。図６（ｂ）に示すように、充電パック４６の下面に太陽電池３１を配設しておくと、光源１１７からの照射光が透明カップ１４を透過して太陽電池３１に入射するので、太陽電池３１に誘起する起電力を逆流防止ダイオード３２を通してニッケル水素蓄電池５に供給すると充電がなされる。
【００３５】
充電パック４６を電磁波を受信したアンテナコイル３９に誘起する起電力を用いて構成した場合には、非接触電力送電手段１１７は所定周波数の高周波を発振する電磁波送信装置１２０とし、電源装置により動作させて所定周波数の電磁波を送信アンテナ１２２から出力する。図７（ｂ）に示すように、充電パック４６の下面にアンテナコイル（電磁波受信装置）３９を配設しておくと、電磁波を受信したアンテナコイル３９とコンデンサ４０とによる共振回路に誘起する起電力を整流ダイオード４１により整流してニッケル水素蓄電池５に印加すると充電がなされる。
【００３６】
充電パック４６を電磁誘導により電磁誘導二次コイル７に誘起する起電力を用いた構成とした場合には、非接触電力送電手段１１７は電磁誘導一次装置１２１とし、電源装置１１８により電磁誘導一次装置１２１を発振させ、電磁誘導一次コイル２０から磁界を発生させる。図８（ｃ）に示すように、充電パック４６の下面に電磁誘導二次コイル（電磁誘導二次装置）７を配設しておくと、電磁誘導一次コイル２０と電磁誘導二次コイル７とが電磁結合して電磁誘導二次コイル７に起電力が誘起するので、整流ダイオード９により整流してニッケル水素蓄電池５に印加すると充電がなされる。
【００３７】
上記各構成における充電パック４６は、図６（ｂ），図７（ｂ），８（ｂ）に示すように、直方体容器７５に構成要素を収め、直方体容器７５の長手方向両端にそれぞれ正極接続端子７６，負極接続端子７７を設けている。正極接続端子７６と負極接続端子７７との間の距離は、ニッケル水素蓄電池５の高さ寸法と一致させる。
【００３８】
二次電池包装体４は、前記充電パック４６と２本のニッケル水素蓄電池５，５を図５（ｃ）に示すように構成された接続ホルダ４５に収納すると、接続ホルダ４５の両内側面に設けた接続プレート４７によって互いに電気的接続がなされる。ここでは２本のニッケル水素蓄電池５，５は並列接続されて充電パック４６に接続される。
【００３９】
図５（ｂ）に断面図として示すように、透明カップ１４の側面は成形時に必要な抜きテーパが形成されているので、ニッケル水素蓄電池５，５及び充電パック４６に対する垂直の接触面が形成されない。そこで、透明カップ１４内に接続ホルダ４５を押し入れることにより、接続ホルダ４５の両側に設けた折返し片４５ａが透明カップ１４の抜きテーパが形成された内側面に接触して接続ホルダ４５の接続プレート４７の貼着面を互いに内側に押圧した状態が得られ、収容したニッケル水素蓄電池５，５の正負両極及び充電パック４６の両端接続片に接続プレート４７が圧接する。接続プレート４７のニッケル水素蓄電池５,５及び充電パック４６との接触位置には、図示するように接続突起４７ａを形成しておくことにより、より安定した接触接続の状態が得られる。
【００４０】
透明カップ１４内に収納した充電パック４６は、ユーザの購入時に取り外して回収し、再使用するシステムを構築すると、充電パック４６を設けたことによる二次電池包装体４のコストアップを抑えることができる。充電パック４６の透明カップ１４からの取り出しは、例えば、図９に示すように、台紙６の裏面に形成した取出し窓５１から治具を挿入して、接続ホルダ４５に設けた取出し扉５２を開き、透明カップ１４側から充電パック４６を押し出すことによって取り出しが可能となる。
【００４１】
太陽電池３１により充電電力を得る場合、前述した構成のように充電のための光源１１９を設けることなく、販売拠点における照明光を光源として利用することもできる。この場合には、照明光を受光しやすくするために、図１０に示すような二次電池包装体１に構成するのが好適である。
【００４２】
図１０において、２本のＡＡサイズのニッケル水素蓄電池５，５を被覆包装したブリスターパック２１の一端に充電パック（充電手段）３６が着脱可能に連結されている。
【００４３】
ブリスターパック２１は、台紙６上に２本のニッケル水素蓄電池５，５を電気的に直列接続する端子金具１１，１２，１３が取り付けられ、直列接続したニッケル水素蓄電池５，５の正極に接続する端子金具１２から引き出された正極リード２４及び負極に接続する端子金具１１から引き出された負極リード２５が台紙６上に形成されている。端子金具１１，１２，１３に接続して２本のニッケル水素蓄電池５，５を装着し、台紙６上に透明カップ１４が貼着される。透明カップ１４の台紙６への貼着面は正極リード２４及び負極リード２５を被覆して台紙６の端部まで延長形成され、正極リード２４及び負極リード２５それぞれの端部上では、後述する正極接続片２８及び負極接続片２９を収容する空間を設けて接続片挿入部２６が形成されている。この構成により、正極リード２４と負極リード２５との間が何らかの金属物の接触により短絡することが防止される。
【００４４】
充電パック３６は、基板３３に太陽電池３１と、逆流防止ダイオード３２と、正極接続片２８及び負極接続片２９とを取り付けて配線接続し、基板３３を透明窓４３を設けたカバーケース３５に収容し、太陽電池３１への光入射を確保すると共に、基板３３上の構成要素を保護している。この充電パック３６は、正極接続片２８及び負極接続片２９をブリスターパック２１の端部に設けた接続片挿入部２６，２６に差し込むことによりブリスターパック２１と電気的接続がなされ、ブリスターパック２１と充電パック３６との間が連結される。
【００４５】
ブリスターパック２１と充電パック３６との連結は、連結ロック３０により連結解除できないようにロックし、ユーザが購入して代金清算時に専用治具により連結ロック３０のロックを解除し、ブリスターパック２１から充電パックを取り外すようにすることが望ましい。ブリスターパック２１から取り外された充電パック３６は販売拠点で回収され、再使用できるようにすることにより、充電機能付きの包装体に構成することによるコストアップを抑えることができる。また、ブリスターパック２１と充電パック３６との連結をロックすることにより、盗難や悪戯などによってブリスターパック２１と充電パック３６とが分離されてしまうことを防止することができる。
【００４６】
上記構成になる二次電池包装体１を収容する陳列容器１１６は、複数個の二次電池包装体１を収容できる単なる容器でよく、二次電池包装体１は吊り下げ陳列することもできる。また、充電パック３６は、前述した電磁波受信による構成や電磁誘導による構成とすることも可能で、この場合には、高周波発振装置１２０又は磁界発生装置１２１を陳列容器１１６の側面又は陳列場所の要所に設ける必要がある。
【産業上の利用可能性】
【００４７】
以上の説明の通り本発明によれば、自己放電率の大きい二次電池であっても充電した状態で販売できるので、二次電池を購入したユーザは充電作業を行うことなく直ちに機器に装填して使用できる。また、ニッケル水素蓄電池のように乾電池に置き換えることが可能な二次電池においては、充電状態で入手できれば乾電池と同等の使用ができ、しかも繰り返し使用できる経済性をも得ることができる。
【図面の簡単な説明】
【００４８】
【図１】第１の実施形態に係る二次電池販売台の構成を示す概略図。
【図２】同上構成に適応させる二次電池包装体の構成を示す斜視図。
【図３】外部接続端子と給電線との接触接続の構造を示す断面図。
【図４】第２の実施形態に係る二次電池販売台の構成を示す概略図。
【図５】同上構成に適応させる二次電池包装体の構成を示す斜視図。
【図６】太陽電池による非接触電力伝送の構成を示す（ａ）は回路図、（ｂ）は斜視図。
【図７】電磁波による非接触電力伝送の構成を示す（ａ）は回路図、（ｂ）は斜視図。
【図８】電磁誘導による非接触電力伝送の構成を示す（ａ）は回路図、（ｂ）は斜視図。
【図９】充電パック取出し構造の例を示す斜視図。
【図１０】充電手段を設けた二次電池包装体の別態様を示す斜視図。
【符号の説明】
【００４９】
１，４，７０  二次電池包装体
５  ニッケル水素蓄電池（二次電池）
６  台紙
７  電磁誘導二次コイル
１４  透明カップ
３１  太陽電池
３９  アンテナコイル
７１  正極接続端子
７２  負極接続端子
１０１，１０２  二次電池販売台
１１０  充電電源
１１１  正極給電線
１１２  負極給電線
１１５，１１６  陳列容器
１１７  非接触送電手段
１１８  電源装置
１１９  光源
１２０  高周波発振装置
１２１  磁界発生装置
【図１】
2007294276.tif 000003
【図２】
2007294276.tif 000004
【図３】
2007294276.tif 000005
【図４】
2007294276.tif 000006
【図５】
2007294276.tif 000007
【図６】
2007294276.tif 000008
【図７】
2007294276.tif 000009
【図８】
2007294276.tif 000010
【図９】
2007294276.tif 000011
【図１０】
2007294276.tif 000012